(57)【要約】【課題】  高電圧の印加からＬＡＮを有効に保護できるＬＡＮに用いられる配線接続構造を提供する。【解決手段】  通信配線用アウトレット７のジャック部２７に、パッチコード５の接続プラグ２１を嵌め付けてＬＡＮの配線を行う。接続プラグ２１に任意のパスワードを記憶したＩＤ部２３を設けておくとともに、通信配線用アウトレット７に、ジャック部２７に接続プラグ２１を嵌め付けたときに、ＩＤ部２３のパスワードを読み取って、あらかじめ記憶したパスワードと一致するか否かを判断する認証手段３７と、パスワードが一致すると認証手段３７が判断したときに、ジャック部２７とＬＡＮケーブルとを接続する接続スイッチ３３と、を構成する。  【選択図】  図２
2005136977.tif 000002
【特許請求の範囲】
【請求項１】
ＬＡＮ集積装置に接続されるＬＡＮケーブルを有する通信配線用アウトレットと、一端側がコンピュータ端末に接続され、他端側に設けられた接続プラグが前記通信配線用アウトレットのジャック部に嵌め付けられて接続されるパッチコードと、を備えたＬＡＮに用いられる配線接続構造であって、
前記ジャック部と前記ＬＡＮケーブルとを接続及び切断するためのスイッチ手段をさらに有し、
前記スイッチ手段を開状態から閉状態に変更させるのに規制が設定されている、ことを特徴とするＬＡＮに用いられる配線接続構造。
【請求項２】
ＬＡＮ集積装置に接続されるＬＡＮケーブルを有する通信配線用アウトレットと、一端側がコンピュータ端末に接続され、他端側に設けられた接続プラグが前記通信配線用アウトレットのジャック部に嵌め付けられて接続されるパッチコードと、を備えたＬＡＮに用いられる配線接続構造であって、
前記パッチコードの前記接続プラグは識別情報を有し、
前記通信配線用アウトレットは、前記ジャック部に前記接続プラグが嵌め付けられたときに、前記識別情報を読み取って、前記識別情報があらかじめ記憶された認証情報と一致又は対応するか否かを判断する認証手段と、前記識別情報及び前記認証情報が一致又は対応すると前記認証手段が判断したときに、前記ジャック部と前記ＬＡＮケーブルとを接続するスイッチ手段と、を有している、ことを特徴とするＬＡＮに用いられる配線接続構造。
【請求項３】
ＬＡＮケーブルを介してＬＡＮ集積装置に接続されるとともに、本体部にコンピュータ端末の接続用のジャック部を有し、前記ジャック部は、一端部が前記コンピュータ端末に接続されたパッチコードの他端側の接続プラグが嵌め付けられて接続されるように構成されている通信配線用アウトレットであって、
前記ＬＡＮケーブルと前記ジャック部とを接続及び切断するためのスイッチ手段と、このスイッチ手段を操作するための操作手段と、を備え、
前記操作手段は、前記本体部に設けられた鍵孔と、この鍵孔に挿入され、前記スイッチ手段を閉操作及び開操作するように形成された操作鍵と、を有している、ことを特徴とする通信配線用アウトレット。
【請求項４】
前記操作鍵は、先端部に操作片を有していて、前記鍵孔に挿入されて操作されることにより、前記操作片が前記スイッチ手段を押圧して閉状態にするように構成されている、ことを特徴とする請求項３記載の通信配線用アウトレット。
【請求項５】
前記操作手段は、移動可能な操作磁石をさらに有し、前記操作鍵は、前記鍵孔に挿入されて前記操作磁石を閉位置及び開位置に移動させることができるように構成されていて、
前記操作磁石が開位置に移動しているときは、前記スイッチ手段が開状態であり、閉位置に移動した前記操作磁石の磁力により、前記スイッチ手段が閉状態となる、ことを特徴とする請求項３記載の通信配線用アウトレット。
【発明の詳細な説明】
【技術分野】
【０００１】
本発明は、建物等の構内に配置された複数のコンピュータ端末を通信接続するためのＬＡＮに用いられる配線接続構造及び通信配線用アウトレットに関する。
【背景技術】
【０００２】
オフィスや学校などの建物等の構内に配置された複数のコンピュータ端末間でデータを送受信する場合には、複数のコンピュータ端末をＬＡＮ（ローカル・エリア・ネットワーク）接続するといったことが広く行われている。ＬＡＮは通常、それぞれのコンピュータ端末に接続したパッチコードやケーブル等の通信配線を、スイッチハブ等のＬＡＮ集積装置に集積して接続することにより構成されていて、より多数のコンピュータ端末を接続する場合には、配線レイアウトの変更に柔軟に対応できるようにしたり、通信配線を流れる電気信号が減衰してしまうのを防止したりするといった目的で、コンピュータ端末及びＬＡＮ集積装置の間に通信配線用アウトレットが配置され、通信配線は、この通信配線用アウトレットを経由して行われる（例えば特許文献１参照）。
【０００３】
【特許文献１】特開平９−９３２５５号公報（第２頁、図２）
【発明の開示】
【発明が解決しようとする課題】
【０００４】
ところで、広域で使用される電話網システムでは、落雷等によってシステムに高電圧が印加されたときに、交換機等のシステム機器が破壊されるのを防止するといった目的で、高電圧対処用の保安器が設けられている。ところが、例えば一つの建物内で使用されるＬＡＮでは、高電圧が印加される場合があるといったことは想定されていないため、広域システムで用いられているような高電圧対処手段は設定されていない。したがって、各アウトレットとＬＡＮ集積装置とは固定的あるいは恒久的配線で接続されているので、例えば、アウトレットに高電圧が印加されると、ＬＡＮ集積装置が破壊されてしまったり、アウトレットから加えられた電圧が非常に高い場合には、ＬＡＮ集積装置を介して他のコンピュータ端末が大きな被害を受けることもある。
【０００５】
実際最近では、外部の者による構内ネットワークの破壊行為が増えてきていることから、建物の構内に不正に侵入した者が、スタンガン等の高電圧発生装置を用い、通信配線用アウトレットに高電圧を印加して、ＬＡＮ集積装置やＬＡＮ接続された複数のコンピュータ端末を壊してしまうといった事態が想定される。特に、通信配線用アウトレットは、取り扱い性を考慮して、コンピュータ端末から近い場所、すなわち、人が出入りしやすい、あるいは出入りする可能性の高い場所に配置される場合が多いため、このような不正侵入者の標的になりやすい。
【０００６】
そこで、本発明は、高電圧の印加からＬＡＮを有効に保護できるＬＡＮに用いられる配線接続構造及び通信配線用アウトレットの提供を目的とする。
【課題を解決するための手段】
【０００７】
この目的を達成するための本発明のＬＡＮに用いられる配線接続構造は、ＬＡＮ集積装置に接続されるＬＡＮケーブルを有する通信配線用アウトレットと、一端側がコンピュータ端末に接続され、他端側に設けられた接続プラグ（接続コネクタ）が前記通信配線用アウトレットのジャック部（コネクタ）に嵌め付けられて接続されるパッチコード（端末ケーブル）と、を備えたＬＡＮに用いられる配線接続構造であって、前記ジャック部（ジャック部側）と前記ＬＡＮケーブル（ＬＡＮケーブル側）とを接続及び切断するためのスイッチ手段を、例えば前記通信配線用アウトレットにさらに有し、前記スイッチ手段を開状態（切断状態）から閉状態（接続状態）に変更させるのに規制が設定されているものである。ここでは、正規の使用者又は管理者あるいは正規の使用機器又は管理機器でなければ、スイッチ手段を開状態（切断状態）から閉状態（接続状態）に変更させることができない。したがって、スイッチ手段が開状態にされてしまえば、最早、不正侵入者又は不正操作者が通信配線用アウトレットからＬＡＮ内に対して高電圧を作用させることはできなくなる。
【０００８】
また、本発明によれば、ＬＡＮ集積装置に接続されるＬＡＮケーブルを有する通信配線用アウトレットと、一端側がコンピュータ端末に接続され、他端側に設けられた接続プラグ（接続コネクタ）が前記通信配線用アウトレットのジャック部（ジャック部）に嵌め付けられて接続されるパッチコード（端末ケーブル）と、を備えたＬＡＮに用いられる配線接続構造であって、前記パッチコードの前記接続プラグは識別情報を有し、前記通信配線用アウトレットは、前記ジャック部に前記接続プラグが嵌め付けられたときに、前記識別情報を読み取って、前記識別情報があらかじめ記憶された認証情報と一致又は対応するか否かを判断する認証手段と、前記識別情報及び前記認証情報が一致又は対応すると前記認証手段が判断したときに、前記ジャック部（ジャック部側）と前記ＬＡＮケーブル（ＬＡＮケーブル側）とを接続するスイッチ手段と、を有しているＬＡＮに用いられる配線接続構造が提供される。ＬＡＮケーブルは、例えば取り外し可能に通信配線用アウトレットに接続される。ＬＡＮケーブルには、パッチコードのように、一端部又は両端部に接続プラグ（接続コネクタ）が設けられたものも含まれる。通信配線用アウトレットのジャック部にパッチコードの接続プラグが嵌め付けられていないときには、スイッチ手段は、ＬＡＮケーブル及びジャック部を接続しない状態（開状態）、すなわち切断した状態に保っている。そして、例えば、通信配線用アウトレットのジャック部からパッチコードの接続プラグを外せば、スイッチ手段は、閉状態であっても、例えば、開状態に復帰する。また、通信配線用アウトレットの認証手段に記憶された認証情報と一致又は対応しない識別情報を有するパッチコードの接続プラグあるいは接続体や、識別情報自体を有していないパッチコードの接続プラグあるいは接続体などをジャック部に嵌め付けても、スイッチ手段は、ジャック部とＬＡＮケーブルとを接続しない。したがって、正規のパッチコード以外のものがジャック部に嵌められても、ＬＡＮケーブルと接続されるといったことはない。コンピュータ端末の不使用時あるいはＬＡＮの不使用時には、パッチコードをコンピュータ端末及び通信配線用アウトレットから取り外しておくことができる。
【０００９】
さらに、本発明の通信配線用アウトレットは、ＬＡＮケーブルを介してＬＡＮ集積装置に接続されるとともに、本体部にコンピュータ端末の接続用のジャック部（コネクタ）を有し、前記ジャック部は、一端部が前記コンピュータ端末に接続されたパッチコード（端末ケーブル）の他端側の接続プラグ（接続コネクタ）が嵌め付けられて接続されるように構成されている通信配線用アウトレットであって、前記ＬＡＮケーブル（ＬＡＮケーブル側）と前記ジャック部（ジャック部側）とを接続及び切断するためのスイッチ手段と、このスイッチ手段を操作するための操作手段と、を備え、前記操作手段は、前記本体部に設けられた鍵孔と、この鍵孔に挿入され、例えば先端部が、前記スイッチ手段を閉操作及び開操作するように形成された操作鍵と、を有しているものである。本発明の通信配線用アウトレットは、ＬＡＮ集積装置とコンピュータ端末との配線途中に配置され、あるいはＬＡＮ集積装置とコンピュータ端末とを接続するように配置される。スイッチ手段は、操作鍵によって、あるいは操作鍵の先端部によって閉操作又は開操作が行われることにより、ＬＡＮケーブルとジャック部とを接続又は切断する。例えば、操作鍵は、ＬＡＮケーブルとジャック部とを切断した状態であるいはＬＡＮケーブルとジャック部との切断状態を保って鍵孔から抜き取ることができるように構成される。また、例えば、ＬＡＮケーブルとジャック部とを接続した状態でもあるいはＬＡＮケーブルとジャック部との接続状態を保ったままでも鍵孔から抜き取ることができるように構成される。本発明の通信配線用アウトレットの機能を図７を参照して具体的に説明すると、アウトレットには例えば左右２つのジャック部が設けられていて、それぞれのジャック部には、異なるコンピュータ端末が接続されている。左側のジャック部に接続されたコンピュータ端末の使用者は既に帰宅していて、帰宅の際に操作鍵を用いてスイッチ手段を開状態にしている。したがって、不正侵入者が、コンピュータ端末のパッチコードをジャック部から抜いて、高電圧発生装置を用いてジャック部に高電圧を印加しても、ＬＡＮ集積装置に影響は及ばない。なお、スイッチ手段を閉状態から開状態に操作した後の操作鍵は、鍵孔から抜き取られて使用者によって管理される。また、図上右側のスイッチ手段は閉状態であるが、この図上右側のジャック部に接続されたコンピュータ端末の使用者が帰宅する場合には、操作鍵を用いてスイッチ手段を閉状態から開状態にすることとなる。そして翌朝には、コンピュータ端末の使用者は、操作鍵を使ってスイッチ手段を閉状態とし、ＬＡＮ接続を確立する。
【００１０】
本発明では、通信配線用アウトレットに複数のジャック部が設けられ、各ジャック部に対応して複数本のＬＡＮケーブルが用いられる場合がある。この場合には、例えば、ジャック部とＬＡＮケーブルとの間のそれぞれにスイッチ手段が設けられる。
【００１１】
操作鍵の先端部に操作片を設けておき、操作鍵が鍵孔に挿入されて例えば回転操作されると、この操作片がスイッチ手段を押圧して、閉操作し、閉状態にするように構成することができる。操作片は直接あるいは操作部材を介してスイッチ手段を押圧する。操作片は例えば側方に突出するように形成される。また、操作手段に移動可能な操作磁石を設け、操作鍵が鍵孔に挿入されて例えば回転操作されることにより、操作磁石が閉位置又は開位置に移動するようにしておき、操作磁石が開位置に移動しているときは、スイッチ手段が、開操作されて、開状態となり、閉位置に移動した操作磁石の磁力により、スイッチ手段が、閉操作されて、閉状態となるように構成することもできる。
【発明の効果】
【００１２】
本発明のＬＡＮに用いられる配線接続構造及び通信配線用アウトレットを適用すれば、例えば配線レイアウトを煩雑にすることなく、不正侵入者又は不正操作者等によってＬＡＮを構成するシステム機器に高電圧が加えられるといったことを防止することができ、例えば、複数のコンピュータ端末が故障してしまうといったことも阻止できる。
【発明を実施するための最良の形態】
【００１３】
以下、本発明の実施の形態を図面を参照して説明する。
【００１４】
図１はビル等の建物の構内に構成されたコンピュータ端末のＬＡＮ接続構造を示す概略図である。
【００１５】
ＬＡＮ１は、建物の室内に複数台設置されているコンピュータ端末３に対応してこの室内に配置され、コンピュータ端末３とパッチコード（端末ケーブル）５を介して接続された通信配線用アウトレット７と、各室に対して１台設置され、それぞれの通信配線用アウトレット７とＬＡＮケーブル９を介して接続されたコンソリデーション・ポイント１１（ＬＡＮ集積装置）と、各階に対して１台配置され、それぞれの階の各室のコンソリデーション・ポイント１１とＬＡＮケーブル１３を介して接続されたパッチパネル１５（ＬＡＮ集積装置）と、建物に１台配置され、各階のパッチパネル１５とＬＡＮケーブル１７を介して接続されたスイッチハブ１９（ＬＡＮ集積装置）と、から構成されている。なお、例えば、ＬＡＮ１にコンソリデーション・ポイント１１を設けない場合には、ＬＡＮケーブル９が直接パッチパネル１５に接続されることとなる。
【００１６】
図２は本発明に係るＬＡＮに用いられる配線接続構造を構成するパッチコード５の接続プラグ部分及び通信配線用アウトレット７のプラグ接続部分を示す概略図である。
【００１７】
パッチコード５には、通信配線用アウトレット７に接続するための直方体状の接続プラグ２１が一端部に設けられているが、接続プラグ２１は、一つの外周面部に、例えば、ＩＣチップ及びアンテナを有する（図示せず）無線タグで構成されたＩＤ部２３を備えていて、ＩＤ部２３のＩＣチップには、メモリにあらかじめ任意のパスワード（識別情報）が記録されている。
【００１８】
通信配線用アウトレット７のプラグ接続部分２５には、接続プラグ２１を挿入するための、直方体状又は断面正方形状の挿入孔を有するジャック部２７が設けられ、ジャック部２７側の接点２９と、ＬＡＮケーブル接続部（ＬＡＮケーブル９が接続される部分）から延びる電線コード３１に接続され、接点２９を開閉する接続スイッチ３３（スイッチ手段）と、を有するスイッチ部３５が構成されている。接続スイッチ３３は、例えば金属製又は鉄製であって、接点２９に接触しない状態に保持されているが、スイッチ部３５は、例えば、電磁石（図示せず）を有するリレー式で構成されていて、接続スイッチ３３は、電磁石に電流が流れることにより、この電磁石に引き寄せられて、接点２９を閉じるように構成されている。
【００１９】
接続プラグ２１の挿入時のＩＤ部２３位置と対応するジャック部２７の一つの周面側には、ＩＤ部２３のＩＣチップに記録されたパスワードを読み取って判断するための認証手段３７が設けられていて、認証手段３７は、例えば、ＩＤ部２３のＩＣチップに記録されたパスワードと一致するパスワード（認証情報）があらかじめ記憶されたメモリを有する読み取りＩＣチップ（図示せず）と、ＩＤ部２３のアンテナに起電力を発生させるための電波発生アンテナ（図示せず）と、を備えている。パッチコード５の接続プラグ２１を通信配線用アウトレット７のジャック部２７に挿入して嵌め付け接続を行うと（仮想線参照）、ＩＤ部２３に接触又は近接した認証手段３７が、電波発生アンテナによりＩＤ部２３のアンテナに起電力を発生させてＩＣチップに記録されたパスワードを吸い上げ、読み取りＩＣチップにより、このパスワードを読み取るとともに、このパスワードがあらかじめ記憶されているパスワードと一致するか否かを判断する。ＩＤ部２３のＩＣチップに記録されたパスワードが、認証手段３７の読み取りＩＣチップに記憶されているパスワードと一致すれば、認証手段３７は、スイッチ部３５に接続信号を送る。そうすると、スイッチ部３５の電磁石に電流が流れて、電磁石に引き寄せられた接続スイッチ３３が接点２９を閉じることにより（仮想線参照）、接点２９とＬＡＮケーブル９側の電線コード３１とが接続される。すなわち、ＬＡＮ接続が行われることとなる。通信配線用アウトレット７のジャック部２７からパッチコード５の接続プラグ２１を抜き取れば、スイッチ部３５に電流は流れなくなるので、接続スイッチ３３は接点２９を開いた状態に復帰する。
【００２０】
パッチコード５の代わりに、認証手段３７に記憶されたパスワードと一致しないパスワードが記録されたＩＤ部２３を有する、あるいはＩＤ部２３自体を有しないパッチコードの接続プラグ、あるいは異質の接続体を、通信配線用アウトレット７のジャック部２７に挿入しても、認証手段３７は、ＩＤ部２３のＩＣチップに記録されているパスワードをあらかじめ読み取りＩＣチップに記憶されているものと一致しないと判断するので、あるいは、パスワードを読み取ることができないので、スイッチ部３５に接続信号を送ることはなく、接点２９と電線コード３１とは接続されない。すなわち切断された状態に保たれる。したがって、通信配線用アウトレット７のジャック部２７に高電圧発生装置を挿入し、通信配線用アウトレット７、より具体的にはジャック部２７又は接点２９に高電圧を印加しても、電線コード３１、そしてＬＡＮケーブル９からスイッチハブ１９側に高電圧が伝わるといったことがない。
【００２１】
図３は本発明に係る別の通信配線用アウトレットのプラグ接続部分を示す概略図である。
【００２２】
別の通信配線用アウトレット３９は、通信配線用アウトレット７のプラグ接続部分２５の構造を変更したものである。通信配線用アウトレット３９も、通信配線用アウトレット７と同様に、ＬＡＮ１に用いられるものであり、この場合には、パッチコード５に代えて、通常の形態を有するパッチコード４１を用いる。通信配線用アウトレット３９に接続するためのパッチコード４１の接続プラグ４３は、パッチコード５の接続プラグ２１と同様に、直方体状に形成されているが、ＩＤ部を有していない。
【００２３】
通信配線用アウトレット３９のプラグ接続部分４５には、接続プラグ４３を挿入接続するための、直方体状又は断面正方形状の挿入孔を有するジャック部４７が設けられ、ジャック部４７側の接点２９と、ＬＡＮケーブル接続部から延びる電線コード３１に接続され、接点２９を開閉する接続スイッチ４９（スイッチ手段）と、を有するスイッチ部５０が構成されている。接続スイッチ４９は例えば金属製又は鉄製で自身の弾性力により接点２９を開いた状態に保持している。
【００２４】
また、プラグ接続部分４５には、ジャック部４７の近傍位置に鍵孔５１が形成されていて、この鍵孔５１は、挿入側先端部に側方に突出する操作片５３を有する操作鍵５５が挿入されるように構成されている。鍵孔５１及び操作鍵５５は操作手段を構成している。鍵孔５１の先端部には、操作鍵５５の操作片５３に接触して接続スイッチ４９の閉操作及び開操作を行う操作部材５７が配置されていて、操作部材５７は、例えば、鍵孔５１の先端部に形成された開口に臨むように保持されているが、操作鍵５５が鍵孔５１に挿入され、回転操作されると、操作片５３に押されて接続スイッチ４９側に移動し、接続スイッチ４９を押圧するように構成されている。したがって、接続スイッチ４９は、操作部材５７に押圧されて接点２９を閉じ（閉操作）、接点２９及び電線コード３１を接続することとなる。このようにして、通信配線用アウトレット３９を介してＬＡＮケーブル９とパッチコード４１とが接続されることとなるが、図４を参照して接続操作をより詳しく説明すると、図４ａに示すように、まず、操作鍵５５を鍵孔５１に挿入する（図３の仮想線も参照）。そして、操作鍵５５を鍵孔５１内で回転させる。そうすると、操作鍵５５の操作片５３が、操作部材５７を接続スイッチ４９側に押し、操作部材５７が接続スイッチ４９を押圧して（閉操作）、図４ｂに示すように、接点２９を閉じるように変位させる。ここで、通信配線用アウトレット３９にパッチコード４１が接続されていれば、パッチコード４１とＬＡＮケーブル９とが接続スイッチ４９を介して接続されることとなる。操作鍵５５を、鍵孔５１内で挿入位置まで回転させれば、操作部材５７に対する押圧力は解除されるので（開操作）、接続スイッチ４９の弾性復帰力により、操作部材５７及び接続スイッチ４９は元の開状態の位置（図４ａ参照）に復帰する。なお、操作部材５７を開状態に付勢するスプリングを設けて構成してもよい。
【００２５】
ここで、操作鍵５５が鍵孔５１に挿入されていないときは、接続スイッチ４９は、電線コード３１又はＬＡＮケーブル９と接点２９又はジャック部４７とを接続していない状態、すなわち切断している状態に保持するため、パッチコード４１の接続プラグ４３、あるいは異質の接続体が通信配線用アウトレット３９のジャック部４７に挿入されても、ＬＡＮケーブル９とは接続されない。したがって、通信配線用アウトレット３９の鍵孔５１に操作鍵５５が挿入されていない状態では、通信配線用アウトレット３９のジャック部４７に高電圧発生装置が挿入され、通信配線用アウトレット３９、より具体的にはジャック部４７又は接点２９に高電圧が印加されても、電線コード３１、そしてＬＡＮケーブル９からスイッチハブ１９側に高電圧が伝わるといったことがない。ここでは、操作鍵５５が鍵孔５１に挿入され、接続スイッチ４９を操作部材５７を介して押圧しているときのみ、ＬＡＮ接続が確立されることとなる。
【００２６】
図５は本発明に係る他の通信配線用アウトレットのプラグ接続部分を示す概略図である。
【００２７】
他の通信配線用アウトレット５９は、通信配線用アウトレット３９のスイッチ部５０及び操作手段の構造を変更したものである。この通信配線用アウトレット５９も、通信配線用アウトレット３９と同様に、ＬＡＮ１に用いられる。
【００２８】
通信配線用アウトレット５９のスイッチ部６１は、ジャック部４７側の接点２９と、ＬＡＮケーブル接続部から延びる電線コード３１に接続され、接点２９を開閉する接続スイッチ４９（スイッチ手段）と、この接続スイッチ４９及び接点２９を内部に収容した円筒状のガラス管６３と、を有して構成されている。接続スイッチ４９は、自身の弾性により接点２９を開く方向に変位するように構成されている。
【００２９】
このスイッチ部６１の接続スイッチ４９を開閉操作する操作手段は、ガラス管６３の外側に設けられた操作磁石６５と、この操作磁石６５を支える支持部材６７と、通信配線用アウトレット５９のプラグ接続部分６９に形成された鍵孔７１と、この鍵孔７１に挿入される操作鍵７３と、を有していて、鍵孔７１に操作鍵７３を挿入して回転操作することにより、例えば歯車機構（図示せず）を介して、支持部材６７を回転させ、操作磁石６５をガラス管６３の外周に沿って移動させることができるように構成されている。
【００３０】
この操作手段によれば、操作鍵７３の回転操作によって、操作磁石６５を接続スイッチ４９側（開位置：図上上側）又は接点２９側（閉位置：図上下側）に位置させることができる。なお、この操作手段では、操作磁石６５を接続スイッチ４９側又は接点２９側に位置させたときに、操作鍵７３を鍵孔７１から抜き取ることができるように構成されている。さらに、この操作手段では、操作鍵７３を用いて操作磁石６５を接続スイッチ４９側に位置させた状態にしてから（開操作）操作鍵７３を抜き取っても、接続スイッチ４９と接点２９の切断状態が保持されるように構成され、また、操作鍵７３を用いて操作磁石６５を接点２９側に位置させた状態にしてから操作鍵７３を抜き取っても、接続スイッチ４９と接点２９の接続状態が保持されるように構成されている。
【００３１】
ここで、接続スイッチ４９による接点２９の開閉態様について説明すると、操作磁石６５が接続スイッチ４９側に位置する場合には、接続スイッチ４９が磁力によって操作磁石６５に引き寄せられることもあって、接点２９は開いた状態となっている（図５ａ参照）。この場合には、電線コード３１又はＬＡＮケーブル９と接点２９又はジャック部４７とが切断された状態になるので、パッチコード４１の接続プラグ４３、あるいは異質の接続体が通信配線用アウトレット５９のジャック部４７に挿入されても、ＬＡＮケーブル９とは接続されない。したがって、通信配線用アウトレット５９のジャック部４７に高電圧発生装置が挿入され、通信配線用アウトレット５９、より具体的にはジャック部４７又は接点２９に高電圧が印加されても、電線ケーブル３１、そしてＬＡＮケーブル９からスイッチハブ１９側に高電圧が伝わるといったことがない。
【００３２】
また、この状態のとき、鍵孔７１に操作鍵７３を挿入して回転操作し、操作磁石６５をガラス管６３の外周に沿って移動させて、操作磁石６５を接点２９側に位置させると、接続スイッチ４９が操作磁石６５の磁力によって接点２９側に引き寄せられて接点２９と接触する（図５ｂ参照）。したがって、通信配線用アウトレット５９のジャック部４７にパッチコード４１が接続されていれば、パッチコード４１とＬＡＮケーブル９とが接続されることとなる。
【００３３】
なお、通信配線用アウトレット７、３９、５９のジャック部２７、４７に対して、接点２９及び接続スイッチ３３、４９はそれぞれ、図面上で一つだけ表されているが、場合によっては各ジャック部２７、４７に接点２９及び接続スイッチ３３、４９が複数個又は複数組用いられる場合もある。そこで、この場合の詳細を通信配線用アウトレット５９の場合に即して説明する。
【００３４】
通信配線用アウトレット５９では、８極８芯のＲＪ４５コネクタが用いられていて、パッチコード４１には、ＲＪ４５用接続プラグ４３が設けられ、通信配線用アウトレット５９のプラグ接続部分６９のジャック部４７には、ＲＪ４５ジャックが用いられている。
【００３５】
ジャック部４７側の接点２９は、接続プラグ４３の８本のピン（端子）にそれぞれ接続されるように８個設けられていて、この８個の接点２９をそれぞれ開閉するように８個の接続スイッチ４９が設けられている。
【００３６】
８個の接続スイッチ４９は、接点２９を開閉する側が、例えば樹脂製の絶縁体で形成された連結部材（図示せず）によって連結されていて、接点２９を開閉するための支点側が、通信配線用アウトレット５９のＬＡＮケーブル接続部から延びる８本の電線コード３１にそれぞれ接続されている。このように８個の接続スイッチ４９を構成することによって、８個の接続スイッチ４９が一群となり、８個の接点２９を同時に開閉させることができる。なお、８個の接点２９及び８個の接続スイッチ４９はそれぞれ、ガラス管６３内に設けられていて、このガラス管６３の外側には操作磁石６５が配置されている。
【００３７】
８本の電線コード３１は、ＬＡＮケーブル接続部に接続された、４対（８芯）からなるＬＡＮケーブル９に接続されている。
【産業上の利用可能性】
【００３８】
本発明のＬＡＮに用いられる配線接続構造及び通信配線用アウトレットは、オフィスや学校などの建物の構内に配置された複数のコンピュータ端末間でデータを送受信する場合に適用され、不正侵入者などのＬＡＮ破壊行為からＬＡＮを有効に保護するものである。
【図面の簡単な説明】
【００３９】
【図１】ビル等の建物の構内に構成されたコンピュータ端末のＬＡＮ接続構造を示す概略図である。
【図２】本発明に係るＬＡＮに用いられる配線接続構造を構成するパッチコードの接続プラグ部分及び通信配線用アウトレットのプラグ接続部分を示す概略図である。
【図３】本発明に係る別の通信配線用アウトレットのプラグ接続部分を示す概略図である。
【図４】別の通信配線用アウトレットにおけるパッチコード及びＬＡＮケーブルの接続方法を説明するための図である。
【図５】本発明に係る他の通信配線用アウトレットのプラグ接続部分を示す概略図である。
【図６】本発明に係る他の通信配線用アウトレットのスイッチ部を示す概略図である。
【図７】本発明の通信配線用アウトレットの機能を示す概略図である。
【符号の説明】
【００４０】
５、４１                パッチコード
７、３９、５９          通信配線用アウトレット
９                      ＬＡＮケーブル
１１                    コンソリデーション・ポイント（ＬＡＮ集積装置）
１５                    パッチパネル（ＬＡＮ集積装置）
１９                    スイッチハブ（ＬＡＮ集積装置）
２１、４３              接続プラグ
２３                    ＩＤ部
２７、４７              ジャック部
３３、４９              接続スイッチ（スイッチ手段）
３７                    認証手段
５１、７１              鍵孔
５３                    操作片
５５、７３              操作鍵
６５                    操作磁石
【図１】
2005136977.tif 000003
【図２】
2005136977.tif 000004
【図３】
2005136977.tif 000005
【図４】
2005136977.tif 000006
【図５】
2005136977.tif 000007
【図６】
2005136977.tif 000008
【図７】
2005136977.tif 000009